(57)【要約】【課題】本考案は、ソケットとプラグを提供する。【解決手段】当該ソケットは、絶縁本体と複数の端子とが含有され、当該絶縁本体は、収納空間があり、収納空間の両側壁に、間隔をあけて、複数のスロットが設置され、当該スロットと絶縁本体の上面との間に、ストッパー部が形成され、当該端子が、当該スロットに実装され、各端子に、当該ストッパー部へ向かって当接部が延伸し、当該当接部の一側面が、当該ストッパー部に密接し、当該プラグは、絶縁本体と複数の端子とが含有され、当該絶縁本体は、突出部が設けられ、当該突出部に、間隔をあけて、複数のスロットが設けられ、当該端子が、当該スロットに保持され、各端子に、凹溝が設けられ、当該凹溝からの上段の部分が、当該スロットに向かって傾斜して、当該スロットの内部に密接し、上記の構造により、当該ソケットと当該プラグとを結合する時、両者の端子が湾曲することがない。【選択図】図８
0003126434.tif 000002
【実用新案登録請求の範囲】
【請求項１】
上端に開口が形成される収納空間があり、当該収納空間の両側壁に、間隔をあけて、複数のスロットが設けられ、また、上面との間にストッパー部が形成される絶縁本体と、
当該絶縁本体のスロットに実装され、一端が当該絶縁本体から伸び出し、湾曲されてピン部を形成し、もう一端が当該収納空間内に入って接触部を形成し、当該接触部に、当該ストッパー部へ向かって当接部を延伸し、当該当接部の一側面が当該ストッパー部に密接する複数の端子と、が含有されることを特徴とするソケット。
【請求項２】
当該絶縁本体は、上面に複数の開孔が設けられ、当該開孔は、当該端子に対応し、また、当該ストッパー部に隣接し、当該端子の当接部が当該開孔内に入り、当該端子の接触部は、円弧形状で、当該収納空間内に位置することを特徴とする請求項１に記載のソケット。
【請求項３】
当該絶縁本体は、底部の両端に、それぞれ、定置ブロックがあり、当該定置ブロックは、底面に定置柱が設けられることを特徴とする請求項１に記載のソケット。
【請求項４】
内部に突出部が設けられる収納空間があり、当該突出部に、間隔をあけて、複数のスロットが設けられる絶縁本体と、
当該絶縁本体のスロット内に配設され、一端が当該絶縁本体の外へ伸び出し、湾曲されてピン部を形成し、もう一端が当該収納空間に入り、接触部を形成し、また、凹溝があり、当該凹溝の上段部分が、当該凹溝から当該スロット方向へ傾斜して、当該スロットの内部に密接する複数の端子と、が含有されることを特徴とするプラグ。
【請求項５】
当該絶縁本体は、両側の上面に、それぞれ、舌片が形成され、底面の両端に、それぞれ、定置柱が設けられることを特徴とする請求項４に記載のプラグ。
【請求項６】
当該端子の下段に、少なくとも一つの突起が設けられ、当該突起が、当該絶縁本体のスロットに保持することを特徴とする請求項４に記載のプラグ。
【考案の詳細な説明】
【技術分野】
【０００１】
本考案は、ソケットとプラグに関し、特に、互いに結合するソケットとプラグで、当該ソケットとプラグとが、それぞれ、回路基板上に設置され、当該二つの回路基板が、当該ソケットとプラグとが互いに結合されることにより電気的に接続されるものに関する。
【背景技術】
【０００２】
コンピュータや電子技術の急速な発展に伴い、様々の電子製品が普及し、また、その発展傾向は、コンピュータや電子製品の小型化を促進する。電子製品の体積や高さを低減するため、複数の端子が結合されたソケットとプラグにより、二つの回路基板が、互いに重ね合って電気的に接続されるものが登場し、主として、一つの回路基板上に当該ソケットを設置し、また、もう一つの回路基板上に、当該ソケットに対応するプラグを設置し、当該プラグを当該ソケットに結合することにより、当該二つの回路基板が電気的に接続される。
【０００３】
しかしながら、従来のソケットとプラグは、互いに結合する時、挿入角度が正しくないため、或いは、端子の共平面性が良くないため、結合部品が、端子と、対応するスロットとの間の隙間に挿入されて、ソケットやプラグの端子が、結合部品による衝撃により、湾曲や変形を生じ、最悪の場合、端子が破壊されて、電気的に接続されることができなくなる。
【０００４】
本考案者は、上記問題を改善するため、鋭意、研究した結果、合理的な設計で、有効に上記問題を改善できる本考案を提案する。
【考案の開示】
【考案が解決しようとする課題】
【０００５】
本考案の主な目的は、それぞれ、回路基板上に設置され、互いに結合することにより、二つの回路基板が電気的に接続され、また、端子が、結合することにより湾曲することがないソケットとプラグを提供することである。
【０００６】
本考案の他の目的は、結合される複数の端子が、良い共平面性を有し、品質を確保できるソケットとプラグを提供することである。
【課題を解決するための手段】
【０００７】
本考案は、上記の目的を達成するため、上端に開口が形成される収納空間があり、当該収納空間の両側壁に、間隔をあけて、複数のスロットが設けられ、また、上面との間にストッパー部が形成される絶縁本体と、当該絶縁本体のスロットに実装され、一端が当該絶縁本体から伸び出し、湾曲されてピン部を形成し、もう一端が当該収納空間内に入って接触部を形成し、当該接触部に、当該ストッパー部へ向かって当接部を延伸し、当該当接部の一側面が当該ストッパー部に当接する複数の端子と、が含有されるソケットである。
【０００８】
本考案は、上記の目的を達成するため、内部に突出部が設けられる収納空間があり、当該突出部に、間隔をあけて、複数のスロットが設けられる絶縁本体と、当該絶縁本体のスロット内に配設され、一端が当該絶縁本体の外へ伸び出し、湾曲されてピン部を形成し、もう一端が当該収納空間に入り、接触部を形成し、また、凹溝があり、当該凹溝の上段部分が、当該凹溝から当該スロット方向へ傾斜して、当該スロットの内部に密接する複数の端子と、が含有されるプラグである。
【考案を実施するための最良の形態】
【０００９】
以下、図面を参照しながら、実施例を挙げて、本考案の特長や技術内容について、詳しく説明するが、本考案は、それらの図面や実施例によって制限されない。
【００１０】
本考案に係るソケット１は、図１乃至３に示されているように、絶縁本体１０と複数の端子２０が含有される。
【００１１】
当該絶縁本体１０は、絶縁材料からなり、側面から見ると、凸形状であり、底部の両端に、それぞれ、矩形である定置ブロック１１があり、当該二つの定置ブロック１１は、底面に、それぞれ、下へ突出する定置柱１１１が設けられる。
【００１２】
当該絶縁本体１０は、中央に、細長い収納空間１２が形成され、当該収納空間１２は、上端に、開口が形成され、内部の両側壁に、複数のスロット１３が貫設され、当該スロット１３は、間隔をあけて配置され、当該収納空間１２に連通し、また、当該スロット１３と当該絶縁本体１０の上面との間に、ストッパー部１４が形成される。当該絶縁本体１０は、上面に、複数の当該端子２０に対応する開孔１５が設けられ、当該開孔１５は、当該収納空間１２の両側に位置し、また、当該ストッパー部１４に隣接し、また、当該スロット１３に連通する。
【００１３】
当該端子２０は、導電性と弾性を有する金属材料からなり、長方形の板状材であり、また、適当な形状に湾曲され、そして、間隔をあけて、当該絶縁本体１０のスロット１３内に挿設される。
【００１４】
各端子２０は、一端が当該絶縁本体１０の底端から伸び出し、また、湾曲されてピン部２１が形成され、当該ピン部２１は、回路基板（図に未表示）に半田付けられて、当該回路基板に電気的に接続され、信号を伝送することに供される。
【００１５】
各端子２０は、もう一端に、接触部２２が形成され、当該接触部２２は、円弧形状で、スロット１３を介して、当該収納空間１２の内部に入り、また、当該ストッパー部１４の方向に向かって、当接部２３が形成され、当該当接部２３は、一端が自由端で、当該絶縁本体１０の開孔１５の内部に入り、一側面が当該ストッパー部１４に当接する。
【００１６】
本考案に係るプラグ２は、図４乃至７に示されているように、絶縁本体３０と複数の端子４０が含有される。
【００１７】
絶縁本体３０は、絶縁材料からなり、収納空間３１が形成され、当該収納空間３１は、当該ソケット１の絶縁本体１０に対応する形状で、当該絶縁本体１０を収納するためのものである。
【００１８】
当該収納空間３１は、内部の中央に、突出部３２が設けられ、当該突出部３２は、両側壁に、当該端子４０に対応する複数のスロット３３が設けられ、当該スロット３３は、間隔をあけて設けられている。
【００１９】
当該絶縁本体３０は、二つの長い辺の上面に、それぞれ、上へ延伸する舌片３４が形成され、プラグ２と当該ソケット１とを結合する時、当該二つの舌片３４により案内してスムーズに結合することができる。
【００２０】
当該絶縁本体３０は、底面の両端に、それぞれ、下へ突出する定置柱３５が設けられ、当該二つの定置柱３５は、もう一つの回路基板上の定置孔（図に未表示）に挿入されることにより、本考案のプラグ２が、正確に当該もう一つの回路基板上に定置される。
【００２１】
当該端子４０は、導電性金属材料からなり、長方形の板状材で、間隔をあけて、当該突出部３２のスロット３３に挿設される。
【００２２】
各端子４０は、一端が当該絶縁本体３０の底端から伸び出し、また、湾曲されてピン部４１が形成され、当該ピン部４１は、同じように、当該もう一つの回路基板に半田付けられて、電気的に接続され、信号を伝送することに供される。
【００２３】
各端子４０は、もう一端が、当該収納空間３１に入って、接触部４２が形成され、当該スロット３３の内部に向かって水平の凹溝４３が形成され、当該凹溝４３は、断面がＶ字形状で、各端子４０は、当該凹溝４３を基準とし、当該端子４０が、凹溝４３の上段部分から全体的に当該スロット３３へ角度αで傾斜しており、これにより、当該端子４０が緊密に当該スロット３３の内部に接触して、当該端子４０と当該スロット３３との間に隙間がないように保持される。
【００２４】
当該端子４０は、下段に、当該ピン部４１の方向に、二つの突起４４が形成され、当該二つの突起４４は、当該突出部３２のスロット３３の内壁に当接し、これにより、当該端子４０が安定的に当該スロット３３に保持されることができる。
【００２５】
本考案に係るソケット１とプラグ２とを結合する時、図８に示すように、当該プラグ２の突出部３２が、当該ストッパー部１４同士の間を通し、当該ソケット１の収納空間１２に入り、当該プラグ２の端子４０の接触部４２が、当該ソケット１の端子２０の接触部２２に接触して、電気的に接続される。ソケット１は、当該ストッパー部１４により当該端子２０を保護し、当該端子２０の頂部が直接に当該プラグ２に接触することにより当該端子２０が湾曲されることを防止する。
【００２６】
この時、当該プラグ２は、端子４０が緊密に当該スロット３３に接触するため、ソケット１がスロット３３と端子４０との間に挿入されて当該端子４０を湾曲することを防止でき、これにより、プラグ２とソケット１とが、スムーズに、互いに結合することができる。
【００２７】
以上のように、本考案に係るソケット１は、主として、当該絶縁本体１０内に当該ストッパー部１４を設置し、また、当該ストッパー部１４により当該端子２０に予圧（ｐｒｅ−ｌｏａｄ）を印加することにより、各端子２０の当接部２３が、緊密に当該絶縁本体１０のストッパー部１４に接触し、これにより、当該端子２０の共平面性を制御でき、また、プラグ２と結合する時、ソケット１の端子２０がプラグ２により湾曲や破壊されることを防止できる。
【００２８】
また、当該プラグ２は、端子４０に当該凹溝４３があるため、各端子４０の上段部分が角度αで傾斜することができ、これにより、各端子４０が当該スロット３３に結合される時、緊密に当該スロット３３の内部に接触して、良い共平面性が得られ、また、各端子４０とスロット３３との間に隙間がないため、ソケット１が当該端子４０とスロット３３との間に挿入することにより当該端子４０が湾曲や変形することを防止でき、これにより、ソケット１とプラグ２とが、正しく互いに結合でき、また、より良い端子共平面性が得られる。
【００２９】
以上は、ただ、本考案のより良い実施例であり、本考案は、それによって制限されず、本考案に係る実用新案登録請求の範囲や明細書の内容に基づいて行う等価の変更や修正は、全てが、本考案に係る実用新案登録請求の範囲内に含まれる。
【図面の簡単な説明】
【００３０】
【図１】本考案に係わるソケットの立体分解図である。
【図２】本考案に係わるソケットの立体組立て図である。
【図３】本考案に係わるソケットの断面図である。
【図４】本考案に係わるプラグの立体分解図である。
【図４Ａ】図４のＡ部分の拡大図である。
【図５】本考案に係わるプラグの立体組立て図である。
【図５Ａ】図５のＡ部分の拡大図である。
【図６】本考案に係わるプラグの断面図である。
【図７】本考案に係わるプラグの端子の正面図である。
【図８】本考案に係わるソケットとプラグが結合されている時の断面図である。
【符号の説明】
【００３１】
１              ソケット
１０            絶縁本体
１１            定置ブロック
１１１               定置柱
１２            収納空間
１３            スロット
１４            ストッパー部
１５            開孔
２              プラグ
２０            端子
２１            ピン部
２２            接触部
２３            当接部
３０            絶縁本体
３１            収納空間
３２            突出部
３３            スロット
３４            舌片
３５            定置柱
４０            端子
４１            ピン部
４２            接触部
４３            凹溝
４４            突起
【図１】
0003126434.tif 000003
【図２】
0003126434.tif 000004
【図３】
0003126434.tif 000005
【図４】
0003126434.tif 000006
【図４Ａ】
0003126434.tif 000007
【図５】
0003126434.tif 000008
【図５Ａ】
0003126434.tif 000009
【図６】
0003126434.tif 000010
【図７】
0003126434.tif 000011
【図８】
0003126434.tif 000012